(57)【要約】両替の種類及び通貨の種類が選択される段階と、使用者の認証が行われる段階と、前記無人両替機に投入された貨幤に為替レートが適用されて両替額が計算される段階と、前記両替額の受領の方法が選択される段階と、選択された受領の方法にしたがって両替額の受領が実行される段階とを含み、前記受領の方法は、口座振込み、カード積立及び現金受領の少なくともいずれか一つであることを特徴とする、無人両替機を利用した無人両替方法が開示される。
2021523428.tif 000002
【特許請求の範囲】
【請求項１】
無人両替機によって、両替の種類及び通貨の種類が選択される段階と、
前記無人両替機によって、使用者の認証が行われる段階と、
前記無人両替機によって、前記無人両替機に投入された貨幤に為替レートが適用されて両替額が計算される段階と、
前記無人両替機によって、前記両替額の受領方法として口座振込みが選択される段階と、
前記無人両替機は口座振込みの受領方法が選択されたことを両替管理サーバーに送信する段階と、
口座振込みの受領方法が選択されたことを受信した前記両替管理サーバーは認可コードをバンキング仲介サーバーに要請する段階と、
認可コードの要請を受けた前記バンキング仲介サーバーは前記両替管理サーバーに前記認可コードを送信する段階と、
前記認可コードを受信した前記両替管理サーバーはログイン用アクセストークンの生成を前記バンキング仲介サーバーに要請する段階と、
前記バンキング仲介サーバーはログイン用アクセストークンを生成し、生成されたログイン用アクセストークンを前記両替管理サーバーに送信する段階と、
前記両替管理サーバーは使用者のログインＡＰＩを呼び出して使用者のログイン情報を入力する段階と、
前記バンキング仲介サーバーは使用者のログイン状態を照会し、使用者の情報が確認されれば、使用者の口座の情報を前記両替管理サーバーに送信する段階と、
使用者の口座の情報を受信した前記両替管理サーバーは前記使用者の口座への両替額の入金の要請を前記バンキング仲介サーバーに送信する段階と、
前記両替管理サーバーから前記使用者の口座への両替額の入金の要請を受信した前記バンキング仲介サーバーは両替管理口座からの両替額の出金及び使用者の口座への両替額の入金を順次に要請する段階と、
第１金融サーバーによる前記両替管理口座からの両替額の出金及び第２金融サーバーによる前記使用者の口座への両替額の入金が行われる段階と、
を含むことを特徴とする無人両替方法。
【請求項２】
前記の両替の種類及び通貨の種類が選択される段階は、
前記無人両替機によって、硬貨両替及び紙幤両替の少なくともいずれか一つの両替の種類が選択され、
前記無人両替機によって、両替しようとする通貨の種類が選択されることを特徴とする請求項１に記載の無人両替方法。
【請求項３】
前記使用者の認証は、身分証認証、生体認証、バーコード認証、携帯電話番号認証、及びセンサー認証の少なくともいずれか一つであることを特徴とする請求項１に記載の無人両替方法。
【請求項４】
両替管理口座からの両替額の出金及び使用者の口座への両替額の入金を順次に要請する段階は、
前記バンキング仲介サーバーは両替管理口座を保有した第１金融サーバーに前記両替管理口座からの両替額の出金を要請する段階と、
前記バンキング仲介サーバーは使用者の口座を保有した第２金融サーバーに前記使用者の口座への両替額の入金を要請する段階と、
を含むことを特徴とする請求項１に記載の無人両替方法。
【請求項５】
前記第１金融サーバーによる両替管理口座からの両替額の出金及び前記第２金融サーバーによる使用者の口座への両替額の入金が行われる段階は、
前記第１金融サーバーが前記両替管理口座から両替額の出金を行い、行った結果を前記バンキング仲介サーバーに送信する段階と、
前記第２金融サーバーが前記使用者の口座に両替額の入金を行い、行った結果を前記バンキング仲介サーバーに送信する段階とを含むことを特徴とする請求項１に記載の無人両替方法。
【請求項６】
両替の種類及び通貨の種類の選択が入力され、使用者の認証が行われ、投入された貨幤に為替レートが適用されて両替額が計算され、両替額の受領の方法として口座振込みが選択される無人両替機と、
前記無人両替機から口座振込みの両替額の受領の選択が入力されたことを受信すれば、口座振込みの両替額の受領を実行させるために認証の要請を送信し、使用者口座への両替額の入金を要請する両替管理サーバーと、
前記両替管理サーバーから認証の要請を受信すれば、使用者のログイン状態を照会し、使用者の口座の情報を前記両替管理サーバーに送信し、出金及び入金を順次に要請するバンキング仲介サーバーと、
両替管理口座を保有し、前記バンキング仲介サーバーから出金の要請が受信されれば前記両替管理口座から両替額の出金を行う第１金融サーバーと、
使用者口座を保有し、前記バンキング仲介サーバーから入金の要請が受信されれば前記使用者口座への両替額の入金を行う第２金融サーバーとを含み、
前記両替管理サーバーは、認可コードを前記バンキング仲介サーバーに要請し、認可コードの要請を受けた前記バンキング仲介サーバーは前記両替管理サーバーに前記認可コードを送信し、
前記認可コードを受信した前記両替管理サーバーはログイン用アクセストークンの生成を前記バンキング仲介サーバーに要請し、前記バンキング仲介サーバーはログイン用アクセストークンを生成し、生成されたログイン用アクセストークンを前記両替管理サーバーに送信することを特徴とする無人両替システム。
【請求項７】
前記両替管理サーバーは使用者のログインＡＰＩを呼び出して使用者のログイン情報を入力し、前記バンキング仲介サーバーは使用者のログイン状態を照会し、使用者の情報が確認されれば、使用者の口座の情報を前記両替管理サーバーに送信し、使用者の口座の情報を受信した前記両替管理サーバーは前記使用者の口座への両替額の入金の要請を前記バンキング仲介サーバーに送信することを特徴とする請求項６に記載の無人両替システム。
【請求項８】
前記両替管理サーバーから前記使用者の口座への両替額の入金の要請を受信した前記バンキング仲介サーバーは両替管理口座からの両替額の出金及び使用者の口座への両替額の入金を順次に要請することを特徴とする請求項７に記載の無人両替システム。
【発明の詳細な説明】
【技術分野】
【０００１】
本発明は、無人両替方法及び無人両替システムに関し、さらに詳しくは、無人両替機を利用して口座振込み、カード積立、現金受領などの多様な受領方法で両替を行うことで、既存の銀行システムや民間の両替所を利用した両替の不便を解消するだけでなく、別途の新しい口座を開設せずとも、両替額を自分の口座で受領することができる、無人両替方法及び無人両替システムに関する。
【背景技術】
【０００２】
国内から海外へ旅行する自国の旅行客と、海外から国内へ旅行する外国の旅行客の規模は、増加し続けている。このような増加の傾向に合わせて、自国旅行客と外国旅行客の両替の必要性も、共に増加している。
【０００３】
現在の両替方法の場合、自国の旅行客は主に銀行システムを利用して両替を行い、外国旅行客は民間の両替所を通じて両替を行っている。
【０００４】
しかし、このような銀行システムと民間両替所の場合、運営時間が決まっており、急に両替が必要な場合は両替ができないという問題がある。
【０００５】
また、自国旅行客の場合、海外旅行を終えて帰国した場合、残った外国貨幤を自国貨幤に両替する際、現金のみで両替額を受領しなければならないという限界がある。
【０００６】
また、外国旅行客の場合、旅行を終えて自国に帰る場合、残った外国貨幤を自国貨幤に両替する際、現金のみで両替額を受領しなければならないという限界がある。
【発明の概要】
【発明が解決しようとする課題】
【０００７】
本発明は、上記のような問題点を解決するために案出されたもので、本発明の目的は、いつでもどこでも、両替が必要な場合、既存の銀行システムや民間両替所を利用せずとも両替を容易に行うことができる、無人両替機を利用した無人両替方法及び無人両替システムを提供することにある。
【０００８】
本発明の他の目的は、新しい口座を設けずとも、自分の口座に両替額を振込むことができる、無人両替機を利用した無人両替方法及び無人両替システムを提供することにある。
【０００９】
本発明のさらに他の目的は、現金受領、口座振込み、カード積立などの多様な方法で両替額を受領することができる、無人両替機を利用した無人両替方法及び無人両替システムを提供することにある。
【課題を解決するための手段】
【００１０】
上記目的を達成するための、本発明による無人両替機を利用した無人両替方法は、両替の種類及び通貨の種類が選択される段階と、使用者の認証が行われる段階と、前記無人両替機に投入された貨幤に為替レートが適用されて両替額が計算される段階と、前記両替額の受領方法が選択される段階と、選択された受領方法にしたがって両替額の受領が実行される段階とを含み、前記受領方法は、口座振込み、カード積立及び現金受領の少なくともいずれか一つでありうる。
【００１１】
前記の両替の種類及び通貨の種類が選択される段階は、前記無人両替機に硬貨の両替及び紙幤の両替の少なくともいずれか一つの両替の種類が選択され、前記無人両替機に両替しようとする通貨の種類が選択されうる。
【００１２】
前記の使用者の認証は、身分証認証、生体認証、バーコード認証、携帯電話番号認証、及びセンサー認証の少なくともいずれか一つでありうる。
【００１３】
前記口座振込みの受領方法が選択された場合、前記無人両替機は口座振込みの受領方法が選択されたことを両替管理サーバーに送信する段階と、口座振込みの受領方法が選択されたことを受信した前記両替管理サーバーは認可コードをバンキング仲介サーバーに要請する段階と、認可コードの要請を受けた前記バンキング仲介サーバーは前記両替管理サーバーに前記認可コードを送信する段階と、前記認可コードを受信した前記両替管理サーバーはログイン用アクセストークンの生成を前記バンキング仲介サーバーに要請する段階と、前記バンキング仲介サーバーはログイン用アクセストークンを生成し、生成されたログイン用アクセストークンを前記両替管理サーバーに送信する段階と、前記両替管理サーバーは使用者のログインＡＰＩを呼び出して使用者のログイン情報を入力する段階と、前記バンキング仲介サーバーは使用者のログイン状態を照会し、使用者の情報が確認されれば、使用者の口座の情報を前記両替管理サーバーに送信する段階と、使用者の口座の情報を受信した前記両替管理サーバーは前記使用者の口座への両替額の入金要請を前記バンキング仲介サーバーに送信する段階と、前記両替管理サーバーから前記使用者の口座への両替額の入金の要請を受信した前記バンキング仲介サーバーは両替管理口座からの両替額の出金及び使用者の口座への両替額の入金を順次に要請する段階と、前記両替管理口座からの両替額の出金及び前記使用者の口座への両替額の入金が行われる段階とを含むことができる。
【００１４】
両替管理口座からの両替額の出金及び使用者の口座への両替額の入金を順次に要請する段階は、前記バンキング仲介サーバーは両替管理口座を保有した第１金融サーバーに前記両替管理口座からの両替額の出金を要請する段階と、前記バンキング仲介サーバーは使用者の口座を保有した第２金融サーバーに前記使用者の口座への両替額の入金を要請する段階とを含むことができる。
【００１５】
両替管理口座からの両替額の出金及び使用者の口座への両替額の入金が行われる段階は、前記第１金融サーバーが前記両替管理口座から両替額の出金を行い、行った結果を前記バンキング仲介サーバーに送信する段階と、前記第２金融サーバーが前記使用者の口座に両替額の入金を行い、行った結果を前記バンキング仲介サーバーに送信する段階とを含むことができる。
【００１６】
前記カード積立の受領方法が選択された場合、積立カードを所有しているか否かが判断される段階と、判断の結果、積立カードを所有している場合、前記無人両替機に積立カードが投入される段階と、投入された積立カードに両替額が積立てられる段階とを含むことができる。
【００１７】
前記カード積立の受領方法が選択された場合、積立カードを所有しているか否かが判断される段階と、判断の結果、積立カードを所有していない場合、新規の積立カードの発給を希望するか否かが判断される段階と、判断の結果、新規の積立カードの発給を希望する場合、新規の積立カードの発給の要請を前記両替管理サーバーに送信する段階と、前記両替管理サーバーは新規の積立カードの発給をカード発給仲介サーバーに要請する段階と、新規の積立カードの発給の要請を受けた前記カード発給仲介サーバーは新規の積立カードの番号を前記両替管理サーバーに送信する段階と、前記両替管理サーバーは新規の積立カードの番号を前記無人両替機に送信する段階と、新規の積立カードの番号を受信した前記無人両替機は両替額が積立てられた新規の積立カードを発給する段階とを含むことができる。
【００１８】
前記現金受領が選択された場合、前記無人両替機から前記両替額が支給されうる。
【００１９】
上記他の目的を達成するための本発明による無人両替システムは、両替の種類及び通貨の種類の選択が入力され、使用者の認証が行われ、投入された貨幤に為替レートが適用されて両替額が計算され、口座振込み、現金受領及びカード積立の少なくともいずれか一つの両替額の受領の方法が選択される無人両替機と、前記無人両替機から口座振込みの両替額の受領の選択が入力されたことを受信すれば、口座振込みの両替額の受領を実行させるために認証の要請を送信し、使用者の口座への両替額の入金を要請する両替管理サーバーと、前記両替管理サーバーから認証の要請を受信すれば、使用者のログインの状態を照会し、使用者の口座の情報を前記両替管理サーバーに送信し、出金及び入金を順次に要請するバンキング仲介サーバーと、両替管理口座を保有し、前記バンキング仲介サーバーから出金の要請が受信されれば前記両替管理口座から両替額の出金を行う第１金融サーバーと、使用者の口座を保有し、前記バンキング仲介サーバーから入金の要請が受信されれば前記使用者の口座への両替額の入金を行う第２金融サーバーとを含むことができる。
【００２０】
上記さらに他の目的を達成するための本発明による無人両替システムは、両替の種類及び通貨の種類の選択が入力され、使用者の認証が行われ、投入された貨幤に為替レートが適用されて両替額が計算され、口座振込み、現金受領及びカード積立の少なくともいずれか一つの両替額の受領の方法の選択が入力される無人両替機と、前記無人両替機からカード積立の両替額の受領が選択されたことを受信すれば、新規の積立カードの発給を要請し、新規の積立カードの番号を前記無人両替機に送信する両替管理サーバーと、前記両替管理サーバーから新規の積立カードの発給の要請を受信すれば、新規の積立カードの番号を生成し、生成された新規の積立カードの番号を前記両替管理サーバーに送信するカード発給仲介サーバーとを含むことができる。
【発明の効果】
【００２１】
本発明によると、いつでもどこでも、両替が必要な場合、既存の銀行システムや民間両替所を利用せずとも、無人両替機を利用して両替を容易に行うことができるという利点がある。
【００２２】
また、新しい口座を開設せずとも自分の既存の口座に両替額を振込むことができるという効果を図る。
【００２３】
さらに、現金受領、口座振込み、カード積立など多様な方法で両替額を受領することができ、使用者の状況に合わせた両替が可能な利点がある。
【図面の簡単な説明】
【００２４】
【図１】本発明の一実施例による無人両替システムを概略的に示したものである。
【図２】本発明の他の実施例による無人両替システムを概略的に示したものである。
【図３】本発明の一実施例による無人両替機を利用した無人両替方法のフローチャートを概略的に示したものである。
【図４】口座振込みが選択された場合の両替額受領の実行を概略的に示したフローチャートである。
【図５】図４における、両替額の出金及び両替額の入金の要請と、両替額の出金及び両替額の入金の実行を概略的に示したフローチャートである。
【図６】カード積立が選択された場合の両替額受領の実行を概略的に示したフローチャートである。
【発明を実施するための形態】
【００２５】
本明細書で使用される技術的用語は、単に特定の実施例を説明するために使用されたもので、本発明を限定しようとする意図ではないことを留意すべきである。また、本明細書で使用される技術的用語は、本明細書で特に他の意味で定義されない限り、本発明が属する技術分野における通常の知識を有する者によって一般的に理解される意味に解釈されるべきであり、過度に包括的な意味に解釈されるか、過度に縮小した意味に解釈されてはならない。また、本明細書で使用される技術的な用語が、本発明の思想を正確に表現できない誤った技術的用語である場合は、当業者が正しく理解できる技術的用語に代替されて理解されるべきである。
【００２６】
なお、本発明で使用される一般的な用語は、辞書に定義されているものにより、または前後の文脈上により解釈されるべきであり、過度に縮小した意味で解釈されてはならない。
【００２７】
さらに、本明細書で使用される単数の表現は、文脈上明らかに異なって意味しない限り、複数の表現を含む。本出願において、「構成される」または「含む」などの用語は、明細書上に記載された様々な構成要素、または様々な段階を必ずしも全て含むものと解釈されてはならず、その中で、一部の構成要素または一部の段階は含まれなくてもよく、または追加の構成要素または段階をさらに含むことができると解釈されるべきである。
【００２８】
以下では、実施例を通じて本発明をさらに具体的に検討するが、下記の例に本発明の範疇が限定されるものではない。
【００２９】
図１は、本発明の一実施例による無人両替システムを概略的に示したものである。
【００３０】
図１を参照すると、本発明の一実施例による無人両替システム１００は、無人両替機１０、両替管理サーバー２０、バンキング仲介サーバー３０、第１金融サーバー４０、及び第２金融サーバー５０を含むことができる。
【００３１】
前記無人両替機１０は、両替の種類及び通貨の種類の選択が入力され、使用者の認証が行われ、投入された貨幤に為替レートが適用されて両替額が計算され、口座振込み、現金受領及びカード積立の少なくともいずれか一つの両替額の受領方法の選択が入力されうる。これをさらに詳しく説明すると、以下の通りである。
【００３２】
前記無人両替機１０は、両替の種類及び通貨の種類の選択が入力され、両替額の受領方法の選択が入力できるように入力部を具備することができる。前記入力部は、タッチキー（ｔｏｕｃｈ  ｋｅｙ）、プッシュキー（ｍｅｃｈａｎｉｃａｌ  ｋｅｙ）、タッチスクリーンなどでありうるが、必ずしもこれに限定されるものではない。
【００３３】
前記無人両替機１０は、外部から為替レートの情報を受信して受け取り、前記入力部を通じて入力を受けた情報などを外部の装置に送信するための通信部を具備することができる。前記通信部は、外部の装置との無線通信を可能にする一つ以上のモジュールを含むことができる。
【００３４】
前記無人両替機１０は、外部から受信して受け取った為替レートを適用して両替額を計算する処理部を具備することができる。
【００３５】
前記無人両替機１０は、各国の通貨の硬貨と紙幤を収納する収納部を具備することができ、前記収納部は、各国の通貨別に分類されて構成されうるのであり、各通貨は、硬貨ごと及び紙幤ごとに分類されて構成されうる。
【００３６】
前記無人両替機１０は、使用者に処理結果や情報を提供するための出力部を具備することができる。
【００３７】
前記両替管理サーバー２０は、前記無人両替機１０から、口座振込みの両替額の受領の選択が入力されたことを受信すれば、口座振込みの両替額の受領を実行させるために使用者の認証の要請をバンキング仲介サーバー３０に伝送し、使用者の口座への両替額の入金をバンキング仲介サーバー３０に要請することができる。
【００３８】
前記バンキング仲介サーバー３０は、前記両替管理サーバー２０から使用者の認証の要請を受信すれば、使用者のログインの状態を照会し、使用者の口座の情報を前記両替管理サーバー２０に送信し、出金及び入金を順次に第１金融サーバー４０及び第２金融サーバー５０に要請することができる。
【００３９】
前記第１金融サーバー４０は両替管理口座を保有し、前記バンキング仲介サーバー２０から出金要請が受信されれば、前記両替管理口座から両替額の出金を行うことができる。
【００４０】
前記第２金融サーバー５０は使用者の口座を保有し、前記バンキング仲介サーバー２０から入金の要請が受信されれば、前記使用者の口座への両替額の入金を行うことができる。
【００４１】
図２は、本発明の他の実施例による無人両替システムを概略的に示したものである。
【００４２】
図２を参照すると、本発明の他の実施例による無人両替システム２００は、無人両替機１０、両替管理サーバー２０、及びカード発給仲介サーバー６０を含むことができる。
【００４３】
前記無人両替機１０の構成は、図１を参照して説明した構成と同一であるため、その説明を省略する。
【００４４】
前記両替管理サーバー２０は、前記無人両替機１０からカード積立の両替額受領の選択が入力されたことを受信すれば、カード発給仲介サーバー６０に新規の積立カードの発給を要請し、カード発給仲介サーバー６０から受信した新規の積立カードの番号を前記無人両替機１０に送信することができる。
【００４５】
前記カード発給仲介サーバー６０は前記両替管理サーバー２０から新規の積立カードの発給の要請を受信すれば、新規の積立カードの番号を生成し、生成された新規の積立カードの番号を前記両替管理サーバー２０に送信することができる。
【００４６】
図３は、本発明の一実施例による無人両替機を利用した無人両替方法のフローチャートを概略的に示したものである。
【００４７】
図３を参照すると、本発明の一実施例による無人両替機を利用した無人両替方法は、両替の種類及び通貨の種類の選択が入力される段階（Ｓ１００）、使用者の認証が行われる段階（Ｓ２００）、前記無人両替機に投入された貨幤に為替レートが適用されて両替額が計算される段階（Ｓ３００）、前記両替額の受領方法の選択が入力される段階（Ｓ４００）、及び選択された受領方法によって両替額の受領が実行される段階（Ｓ５００）を含むことができる。
【００４８】
両替の種類及び通貨の種類の選択が入力される段階（Ｓ１００）は、使用者が無人両替機の入力部を通じて硬貨の両替及び紙幤の両替の少なくともいずれか一つの両替の種類を選択することができ、両替しようとする各国の通貨の種類が選択されうる。両替の種類と通貨の種類の選択は、両替の種類が先に選択された後、各国の通貨の種類が選択されてもよく、それとも、各国の通貨の種類が先に選択されて、両替の種類が選択されてもよい。
【００４９】
本発明によると、無人両替機を通じて硬貨と紙幤の両方とも両替されうることから、旅行客が望む両替の種類に合わせて両替を行うことができるという利点があり、通貨の種類においても、無人両替機を通じて、アメリカ、日本、ヨーロッパ、中国、香港、台湾、シンガポール、マレーシア、フィリピン、オーストラリア、タイ、イギリス、インドネシア、ロシア、ベトナム、韓国などの多様な国家の通貨が両替されうることから、多様な国家の旅行客が、有用に、本発明による無人両替機を利用した無人両替方法を利用することができる。
【００５０】
この後、使用者は、パスポートなどの身分証認証、虹彩や指紋などの生体認証、バーコード認証、携帯電話番号認証、センサー認証などの多様な認証方法を通じて、使用者の認証が行われるようにする（Ｓ２００）。本実施例では、両替の種類と通貨の種類の選択の入力が完了した後、使用者の認証が行われる形態であるが、本発明が必ずしもこれに限定されるものではなく、代替案としての他の実施例では、使用者の認証の遂行が完了した後、両替の種類と通貨の種類の選択が入力されうる。
【００５１】
前記両替額が計算される段階（Ｓ３００）は、無人両替機に投入された貨幤に為替レートが適用されて両替額が計算される段階である。
【００５２】
例えば、外国旅行者が国内旅行を終えた後、残っているウォンをドルに両替しようとする場合、投入されたウォンに為替レートが適用されてドルの両替額が計算されうる。
【００５３】
この際、前記為替レートは両替の種類によって異なりうる。即ち、同じ通貨でも紙幤に適用される為替レートと硬貨に適用される為替レートは異なりうる。
【００５４】
前記為替レートは、定期的にまたは非定期的にアップデートされることで変動しうるのであり、無人両替機が両替管理サーバーから為替レートを受信することでアップデートされるか、第３の為替レート情報提供機関から為替レートを受信することでアップデートされうる。
【００５５】
前記両替額の受領方法の選択が入力される段階（Ｓ４００）は、使用者が、無人両替機の入力部を通じて、口座振込み、カード積立及び現金受領の少なくともいずれか一つを選択する段階である。
【００５６】
前記入力部を通じて受領方法の選択が入力されれば、選択された受領方法にしたがって両替額の受領が実行される（Ｓ５００）。口座振込みが選択された場合の両替額受領の実行（Ｓ５１０）、カード積立が選択された場合の両替額の受領の実行（Ｓ５２０）、現金受領が選択された場合の両替額の受領の実行については、以下でさらに詳しく説明する。
【００５７】
図４は、口座振込みが選択された場合の両替額の受領の実行を概略的に示したフローチャートである。
【００５８】
図４を参照すると、使用者が口座振込みの受領方法を選択した場合、無人両替機は口座振込みの受領方法が選択されたことを両替管理サーバーに送信する（Ｓ５１１）。
【００５９】
口座振込みの受領方法が選択されたことを受信した前記両替管理サーバーは、事前に登録して発給を受けた両替管理サーバー認証キーを前記バンキング仲介サーバーに送信することで、認可コードをバンキング仲介サーバーに要請する（Ｓ５１２）。
【００６０】
前記両替管理サーバーからの認可コード要請を受信した前記バンキング仲介サーバーは、サービスアクセスの権限を照会した後、権限がある場合に、前記両替管理サーバーに認可コードを送信する（Ｓ５１３）。この際、コールバックＵＲＬ（Ｃａｌｌｂａｃｋ  ＵＲＬ）で認可コードを伝達することができる。
【００６１】
前記認可コードを受信した前記両替管理サーバーは、ログイン用アクセストークンの生成を前記バンキング仲介サーバーに要請する（Ｓ５１４）。
【００６２】
前記バンキング仲介サーバーは、ログイン用アクセストークンを生成し、生成されたログイン用アクセストークンを前記両替管理サーバーに送信する（Ｓ５１５）。
【００６３】
前記両替管理サーバーは、使用者のログインＡＰＩを呼び出して使用者のログイン情報を入力する（Ｓ５１６）。代替案としての他の実施例では、非対面接触式認証でログインすることができる。
【００６４】
前記バンキング仲介サーバーは、使用者のログイン状態を照会し、照会の結果、使用者の情報が確認されれば、使用者の口座の情報を前記両替管理サーバーに送信する（Ｓ５１７）。
【００６５】
使用者の口座情報を受信した前記両替管理サーバーは、前記使用者の口座への両替額の入金の要請を前記バンキング仲介サーバーに送信する（Ｓ５１８）。
【００６６】
前記両替管理サーバーから前記使用者の口座への両替額の入金の要請を受信した前記バンキング仲介サーバーは、両替管理口座からの両替額の出金、及び使用者の口座への両替額の入金を、第１金融サーバー及び第２金融サーバーに順次に要請する（Ｓ５１９−１）。
【００６７】
前記第１金融サーバー及び前記第２金融サーバーによって、前記両替管理口座からの両替額の出金及び前記使用者の口座への両替額の入金がそれぞれ行われる（Ｓ５１９−２）。
【００６８】
図５は、図４における両替額の出金及び両替額の入金の要請と、両替額の出金及び両替額の入金の遂行を概略的に示したフローチャートである。
【００６９】
図５を参照すると、前記バンキング仲介サーバーは、両替管理口座を保有した第１金融サーバーに前記両替管理口座からの両替額の出金を要請する（Ｓ５１９−１ａ）。
【００７０】
前記バンキング仲介サーバーは、使用者の口座を保有した第２金融サーバーに前記使用者口座への両替額の入金を要請する（Ｓ５１９−１ｂ）。
【００７１】
両替額の出金の要請を受けた前記第１金融サーバーは、前記両替管理口座から両替額の出金を行う（Ｓ５１９−２ａ）。行った結果はバンキング仲介サーバーに送信されうる。バンキング仲介サーバーは、受信した遂行結果を両替管理サーバーに送信することができる。
【００７２】
両替額の入金の要請を受けた前記第２金融サーバーは、前記使用者の口座に両替額の入金を行う（Ｓ５１９−２ｂ）。遂行結果はバンキング仲介サーバーに送信されうる。バンキング仲介サーバーは、受信した遂行結果を両替管理サーバーに送信することができる。両替管理サーバーは、受信した遂行結果を無人両替機に送信することができる。無人両替機に送信された両替額の入金結果は、無人両替機の出力部を通じて使用者に提供されうる。
【００７３】
口座振込みを通じた両替額の受領は、外国旅行客が、国内旅行後に自国に帰る際に両替額を直接現金で受領するよりも、利便性を向上させることができる。
【００７４】
図６は、カード積立が選択された場合の両替額の受領の実行を概略的に示したフローチャートである。
【００７５】
図６を参照すると、使用者がカード積立の受領方法を選択した場合、無人両替機は積立カードを所有しているか否かに対するメッセージを出力する（Ｓ５２１）。
【００７６】
使用者が積立カードを所有している場合、積立カードを所有しているという回答を無人両替機に入力し、積立カードを無人両替機に投入する（Ｓ５２２）。
【００７７】
無人両替機は投入された積立カードに両替額を積立てる（Ｓ５２３）。この際、無人両替機は、両替額の積立情報を該当積立カードのサーバーに送信することができる。
【００７８】
使用者が積立カードを所有していない場合、新規の積立カードの発給を希望するか否かに対するメッセージを出力する（Ｓ５２４）。
【００７９】
使用者が新規の積立カードの発給を希望するという回答を無人両替機に入力すれば、無人両替機は新規の積立カードの発給の要請を両替管理サーバーに送信する（Ｓ５２５）。
【００８０】
新規の積立カードの発給の要請を受信した前記両替管理サーバーは、新規の積立カードの発給をカード発給仲介サーバーに要請することができる（Ｓ５２６）。
【００８１】
新規の積立カードの発給の要請を受けた前記カード発給仲介サーバーは、新規の積立カード情報を生成し、新規の積立カードの番号を前記両替管理サーバーに送信することができる（Ｓ５２７）。
【００８２】
前記両替管理サーバーは、新規の積立カードの番号を前記無人両替機に送信することができる（Ｓ５２８）。
【００８３】
新規の積立カードの番号を受信した前記無人両替機は、両替額が積立てられた新規の積立カードを発給することができる（Ｓ５２９）。これをさらに詳しく説明すると、新規の積立カードの番号を受信した無人両替機は、積立てられる両替額の情報を両替管理サーバーに送信し、両替管理サーバーは、カード発給仲介サーバーに、積立てられる両替額が新規のカードに積立てられるように要請する。無人両替機は、両替額が積立てられた新規の積立カードを発給する。無人両替機には、新規のカードの発給のためのカード発給部が具備されている。
【００８４】
カード積立を通じた両替額の受領の場合、自分が保有しているカードへの積立だけでなく、無人両替機を通じた新規のカードの発給を通じてカードへの積立が行われうるため、有用である。
【００８５】
また、カード積立の両替額の受領は、支払い計算の煩雑さがある現金よりは、支払いが便利なカードに両替額を積立た後、必要時に使用することができ、旅行者の便利性を向上させることができる。また、旅行を終えた後も、現金より運搬が容易なカードに両替額を積立てることで、帰国の際の利便性を図ることができる。
【００８６】
最後に、使用者が現金受領を選択した場合、無人両替機は、計算された両替額を、無人両替機の投出口を通じて使用者に支給することができる。
【００８７】
以上では、本発明の特定の好ましい実施例について説明したが、本発明は、上述した特定の実施例に限定されず、特許請求の範囲で請求する本発明の要旨を逸脱することなしに、当該本発明が属する技術分野で通常の知識を有する者であれば誰もが、多様な変形実施が可能なことは勿論であり、そのような変形は、請求の範囲の記載の範囲内にある。
【産業上の利用可能性】
【００８８】
本発明は、無人両替方法及び無人両替システムを活用した旅行産業分野に適用可能である。
【図１】
2021523428.tif 000003
【図２】
2021523428.tif 000004
【図３】
2021523428.tif 000005
【図４】
2021523428.tif 000006
【図５】
2021523428.tif 000007
【図６】
2021523428.tif 000008
【国際調査報告】
2021523428.tif 000009
2021523428.tif 000010
2021523428.tif 000011
2021523428.tif 000012